(57)【要約】【課題】どのような場所に熱交換ユニットを設置したとしても、操作性を損なうことのない温水暖房システムを提供すること。【解決手段】本発明の温水暖房システムは、冷媒が大気より熱を吸熱するヒートポンプユニット１０と、ヒートポンプユニット１０で高温となった冷媒と湯水とを熱交換して高温水を生成する熱交換ユニット２０とを備え、熱交換ユニット２０の外郭に設置された操作部２を着脱可能な構成としたことにより、熱交換ユニット２０自体を狭小なスペースに設置したとしても、操作部２を着脱可能に構成しているので、別途操作部を切り離してヒートポンプユニット等の操作を行うことができるため、非常に使用性を向上させることができる。【選択図】図３
2010025357.tif 000002
【特許請求の範囲】
【請求項１】
冷媒が大気より熱を吸熱するヒートポンプユニットと、前記ヒートポンプユニットで高温となった冷媒と湯水とを熱交換して高温水を生成する熱交換ユニットとを備え、前記熱交換ユニットの外郭に設置された操作部を着脱可能な構成としたことを特徴とする温水暖房システム。
【請求項２】
前記操作部を無線で操作する装置としたことを特徴とする請求項１に記載の温水暖房システム。
【請求項３】
前記熱交換ユニットの前記操作部を取り外した箇所に、化粧用グリルなどの別部品の取り付けが可能な構成としたことを特徴とする請求項１または２に記載の温水暖房システム。
【発明の詳細な説明】
【技術分野】
【０００１】
本発明は、暖房用温水循環回路を介して暖房端末に温水を供給する温水暖房機に関するものである。
【背景技術】
【０００２】
一般に、この種の温水暖房システムは、屋外に冷媒が大気から熱を吸熱するヒートポンプユニットを設置し、屋内に高温冷媒と湯水とが熱交換を行う熱交換ユニットと、生成した高温水を貯える貯湯タンクとを設置するように構成される（例えば、特許文献１参照）。
【０００３】
このように構成された温水暖房システムにおいて、熱交換ユニットの外郭を構成する筐体前部には、ヒートポンプユニット等を操作するための操作部が設けられており、前記操作部を操作することによって、前記ヒートポンプユニット等を操作し、暖房設定温度等を変更することが可能に構成されている。
【特許文献１】国際公開第２００５／１０６３４６号パンフレット
【発明の開示】
【発明が解決しようとする課題】
【０００４】
しかしながら、熱交換ユニットを屋内に設置するために、熱交換ユニットを据え付けた箇所に、スペースの余裕があるとは限らず、例えば、物置や階段下などの狭小スペースに設置した場合には、スペースに余裕がないため、熱交換ユニットを据え付けるスペースがあったとしても、その場所に人が入って熱交換ユニットの前部に設けられた操作部を操作することが困難であるという課題を有していた。
【０００５】
本発明は、前記従来の課題を解決するものであり、どのような場所に熱交換ユニットを設置したとしても、操作性を損なうことのない温水暖房システムを提供することを目的とする。
【課題を解決するための手段】
【０００６】
前記従来の課題を解決するために、本発明の温水暖房システムは、冷媒が大気より熱を吸熱するヒートポンプユニットと、前記ヒートポンプユニットで高温となった冷媒と湯水とを熱交換して高温水を生成する熱交換ユニットとを備え、前記熱交換ユニットの外郭に設置された操作部を着脱可能な構成としたことにより、熱交換ユニット自体を狭小なスペースに設置したとしても、操作部を着脱可能に構成しているので、別途操作部を切り離してヒートポンプユニット等の操作を行うことができるため、非常に使用性を向上させることができる。
【発明の効果】
【０００７】
本発明は、どのような場所に熱交換ユニットを設置したとしても、操作性を損なうことのない温水暖房システムを提供することができる。
【発明を実施するための最良の形態】
【０００８】
第１の発明の温水暖房システムは、冷媒が大気より熱を吸熱するヒートポンプユニットと、前記ヒートポンプユニットで高温となった冷媒と湯水とを熱交換して高温水を生成する熱交換ユニットとを備え、前記熱交換ユニットの外郭に設置された操作部を着脱可能な構成としたことにより、熱交換ユニット自体を狭小なスペースに設置したとしても、操作部を着脱可能に構成しているので、別途操作部を切り離してヒートポンプユニット等の操
作を行うことができるため、非常に使用性を向上させることができる。
【０００９】
第２の発明の温水暖房システムは、特に第１の発明において、前記操作部を無線で操作する装置としたことにより、熱交換ユニットと操作部とを接続する接続線が不要になるため、接続線を引き回すための施工が不要になる他、外観を損なうこともない。
【００１０】
第３の発明の温水暖房システムは、特に第１または第２の発明において、前記熱交換ユニットの前記操作部を取り外した箇所に、化粧用グリルなどの別部品の取り付けが可能な構成としたことにより、熱交換ユニットから操作部を取り外した状態であっても外観を損なうことはなく、美観性を向上させることができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における温水暖房システムの構成図である。図１において、本実施の形態の温水暖房システムは、冷凍サイクルを有するヒートポンプユニット１０、冷媒と水とが熱交換を行うプレート型の熱交換器を有する熱交換ユニット２０、内部に温水が流れて居住空間を暖める温水暖房端末３０を有している。
【００１３】
熱交換ユニット２０と温水暖房端末３０は室内に設置され、ヒートポンプユニット１０は室外に設置されており、室内と室外とは冷媒配管で接続されている。そのため、低外気温度の状況下においても冷媒配管が凍結しにくく、特に外気温度が低くなる寒冷地などにおいては、水配管が屋外に設置されるヒートポンプ給湯機などに比べて暖房装置に適している。
【００１４】
ヒートポンプユニット１０には、空気と冷媒とで熱交換を行う蒸発器１１、冷媒を高温高圧冷媒に圧縮する圧縮機１２、熱交換ユニット２０の水冷媒熱交換器２１で放熱した後の冷媒を減圧する減圧装置１３が配設されており、水冷媒熱交換器２１と減圧装置１３と蒸発器１１と圧縮機１２とを順次冷媒配管にて環状に接続して冷凍サイクルを構成している。なお冷凍サイクル内の流れる冷媒には、Ｒ４１０Ａや二酸化炭素などを用いる。
【００１５】
図２は、熱交換ユニット２０の構成を示す構成図である。図２に示すように、熱交換ユニット２０には、冷媒と水とが熱交換を行うプレート型の水冷媒熱交換器２１、水冷媒熱交換器２１で暖められた温水を温水暖房端末３０に送るためのポンプ２２、管内の圧力を下げることを目的とする圧力逃がし弁２３、閉回路内に噛み込んだエアー逃がしを目的とする空気抜き弁２４、閉回路内の温水往き・戻りが流れているかを判断する流量計（フロースイッチ）２５、閉回路内の水圧を正常に保ち、破裂を防止することを目的とする膨張タンク２６が配設されており、ポンプ２２が駆動することによって、温水暖房端末３０内の湯水が流れて水冷媒熱交換器２１で、水と冷媒との間で熱交換がなされる。
【００１６】
温水暖房端末３０は、パネルヒーターや床暖房パネルなどを指し、熱交換器３１を有して、熱交換器３１内に水冷媒熱交換器２１で暖められた温水を流すことによって、居室内を暖める構成となっている。
【００１７】
以上のように構成された温水暖房システムにおいて、以下、熱交換ユニット２０の筐体構成について説明する。
【００１８】
図３は、熱交換ユニット本体２０の外郭を構成する筐体前部の略中央部に、操作部であるヒートポンプユニットや熱交換ユニット内の機器をコントロールするための操作装置２
が取り付けられている。特に略中央部に設けることによって、操作装置２を熱交換ユニット２０からどちらの方向に引っ張り出しても、熱交換ユニット２０の内部に有する制御基盤（図示せず）と操作装置２とを接続する通信線３が筐体前部の略中央部から出てくるために、非常に通信線の引き回しがしやすいという利点がある。
【００１９】
なお、本実施の形態では、操作装置２と熱交換ユニット２０とが通信線３によって接続された形態として説明するが、操作装置２と熱交換ユニット２０とが無線にて接続された構成であってもよい。この場合には、操作装置２と熱交換ユニット２０とを接続する通信線３が無くなるため、通信線３の引き回しが不要となり、非常に施工性が向上する。
【００２０】
このように、操作装置２を熱交換ユニット２０から着脱可能に構成するので、熱交換ユニット２０をどのような場所（例えば、階段下や物置）に設置しても、操作装置２を取り外して、操作しやすい箇所まで引き伸ばしてくることができ、熱交換ユニット２０の設置場所を考慮せずとも、温水暖房システムを使用することができる。
【００２１】
図４は、操作装置２と熱交換ユニット２０とを接続する通信線を廃止し、無線で接続した図である。そして、図４に示すように、操作装置２を取り外した箇所には、操作装置２と同じ大きさ、もしくは操作装置２を熱交換ユニット２０に取り付けていたビス穴が隠れるくらいの大きさの化粧グリル５を取り付けることで、非常に美観性を損なうことがなく、屋内に設置してもインテリア性を保つことができる。
【００２２】
図５は、化粧グリル５を熱交換ユニット２０に取り付けた状態の正面図を示し、図６は、図５のＡ−Ａ断面図を示すものである。図６に示すように、化粧グリル５の背面側には、筐体前部に操作装置２を取り付け固定していた締結用ビスのビス穴にちょうど嵌め込まれる形状の突起形状６を設けている。この突起形状６を化粧グリル５の背面側に取り付けることによって、筐体前部にある操作装置２の締結用ビスのビス穴に、突起形状６を嵌め込んで固定することができ、非常に施工性を向上させることができる。
【産業上の利用可能性】
【００２３】
以上のように、本発明にかかる温水暖房システムは、熱交換ユニット本体の美観性を向上させつつ、外郭に設置、収納した操作装置を着脱可能な構成とすることで、限られた狭小スペースに据え付けても通常設置と同等の操作性能を確保することができるので、製品外郭に操作装置を配置した各種機器、装置の本体構成等の用途にも適用できる。
【図面の簡単な説明】
【００２４】
【図１】本発明の実施の形態１における温水暖房システムの構成図
【図２】同熱交換ユニットの構成図
【図３】同熱交換ユニットの斜視図
【図４】同熱交換ユニットの斜視図
【図５】同熱交換ユニットの化粧グリル取付け正面図
【図６】図５のＡ−Ａ断面図
【符号の説明】
【００２５】
２  操作装置
３  通信線
５  化粧用グリル
６  突起形状
１０  ヒートポンプユニット
１１  蒸発器
１２  圧縮機
１３  減圧装置
２０  熱交換ユニット
２１  水冷媒熱交換器
２２  ポンプ
２３  圧力逃がし弁
２４  空気抜き弁
２５  流量計（フロースイッチ）
２６  膨張タンク
３０  温水暖房装置
３１  熱交換器（暖房側）
【図１】
2010025357.tif 000003
【図２】
2010025357.tif 000004
【図３】
2010025357.tif 000005
【図４】
2010025357.tif 000006
【図５】
2010025357.tif 000007
【図６】
2010025357.tif 000008